(57)【特許請求の範囲】
【請求項１】
魚釣りに用いるルアーであって、
ルアー本体と、
前記ルアー本体の頭部から突出して設けられ、周縁の少なくとも一部に外方に鋭角に突出する鋭角部を有するリップ部と
を備え、
前記リップ部は、周縁付近において上平面が下方に向かって傾斜してその周縁端が外方に鋭角に突出しており、この周縁が前記鋭角部であり、
前記鋭角部は、水が前記リップ部に当たる角度によって左右にイレギュラーな動きをおこすように、前記リップ部の長さ方向中央付近より前記ルアー本体との連結部分にかけての周縁部分に形成されている、
ルアー。
【請求項２】
前記鋭角部は前記リップ部の先端部分に形成されている、請求項１に記載のルアー。
【請求項３】
前記鋭角部は、前記リップ部の前記先端部分と前記周縁部分とに分かれて設けられている、
請求項２に記載のルアー。
【発明の詳細な説明】
【０００１】
【発明の属する技術分野】
本発明は、魚釣りに用いるルアーに関する。
【０００２】
【従来の技術】
従来のルアーは、外形を魚体に似せた中空のプラスチック製ルアー本体と、ルアー本体の頭部から斜め下方に突出したリップ部と、ルアー本体頭部に設けられライン（釣糸）を係止可能な釣糸係止部と、ルアー本体の腹部及び尾部に連結されたフック（釣針）とを有している。リップ部はリトリーブ時に水流を直接受ける部分であって、耐久性を向上させるべく幅方向中央付近がやや肉厚の板状のものである。そして、水をよく受けるようにリップ部の上平面は平坦または幅方向中央付近が凹入した形状である。
【０００３】
この従来のルアーは、水中にキャスティングした後に釣糸を巻き取りながらリトリーブし、またロッドを強く振り上げると、ルアー本体頭部のリップ部に水流を受けて振動しながら水中深くへ沈降しつつ泳動する。そして、生き餌のように水中を漂って魚を引きつける。
【０００４】
【発明が解決しようとする課題】
リトリーブを行いまたロッドを強く振り上げると、従来のルアーは沈降し振動するがその振動は規則的な振動であることが多い。しかし、水中で魚に強くアピールするには、ルアーに不規則であり突発的な動き（「イレギュラーな動き」という）をおこさせる必要がある。
【０００５】
本発明の課題は、容易にイレギュラーな動きをおこし、魚に強くアピールできるルアーを提供することにある。
【０００６】
【課題を解決するための手段】
発明１にかかるルアーは、魚釣りに用いるルアーであって、ルアー本体と、ルアー本体の頭部から突出して設けられ、周縁の少なくとも一部に外方に鋭角に突出する鋭角部を有するリップ部とを備えている。リップ部は、周縁付近において上平面が下方に向かって傾斜してその周縁端が外方に鋭角に突出しており、この周縁が鋭角部である。そして、鋭角部は、水がリップ部に当たる角度によって左右にイレギュラーな動きをおこすように、リップ部の長さ方向中央付近よりルアー本体との連結部分にかけての周縁部分に形成されている。
【０００７】
このルアーでは、キャスティング後リトリーブ等すると、リップ部の上平面が水を受けてルアーは水中深くへ沈降する。ここで、リップ部の上平面に当たる水はリップ部の周縁の鋭角部において容易に逃げ出し、水がリップ部に当たる角度によって左右にイレギュラーな動きをおこす。そして、このイレギュラーな動きは水中で魚の興味を強く引き付ける。
【０００８】
また、リップ部に当たった水が最も流れ出やすいリップ部の長さ方向中央付近よりルアー本体との連結部分にかけて鋭角部が形成されており、ルアーは水中でよりイレギュラーな動きをおこしやすい。
【０００９】
さらに、平坦なリップ部の上平面に当たった水が周縁の鋭角部において流れ出やすく、ルアーは水中で容易にイレギュラーな動きをおこす。
【００１０】
発明２にかかるルアーは、発明１のルアーであって、鋭角部はリップ部の先端部分に形成されている。
【００１１】
この場合には、リップ部に最も激しく水が当たる部分であるリップ部の先端付近に鋭角部が形成されているので、ルアーは水中でよりイレギュラーな動きをおこしやすい。
【００１２】
発明３にかかるルアーは、発明２のルアーであって、鋭角部は、リップ部の先端部分と周縁部分とに分かれて設けられている。
【００１３】
【発明の実施の形態】
［第１実施形態］
以下、本発明の第１実施形態を採用したルアーを、図面を参照しつつ説明する。
【００１４】
本発明の第１実施形態を採用したルアーは、図１及び図２に示すように、外形を魚に似せて形成されたプラスチック製のルアー本体１と、ルアー本体１の頭部に設けられ斜め下方に突出したリップ部２と、リップ部２に設けられライン（釣糸）を係止可能な釣糸係止部３と、ルアー本体１の中央から頭部よりの下面及び尾部にそれぞれ設けられたアイ４，５とを有している。これらアイ４，５にはスプリットリング６，７を介してフック（釣針）８，９がぞれぞれ装着されている。
【００１５】
ルアー本体１は、内部に中空を有する中空部材であって、左右対称な一対の半割り部材を開口側で張り合わせて接着剤等で接着し固定したものである。この開口面にはアイ４，５をはめ込んで固定可能な固定部（図示せず）が形成されており、この固定部にアイ４，５は固定されている。また、腹部付近及び尾部付近の中空の一部は区分されており、この区分された部分にそれぞれ錘（図示せず）が配置されている。さらに、ルアー本体１の外面は魚に似せて鱗や鰓などが描かれている。
【００１６】
図２及ぶ図３に詳しく示すように、リップ部２はルアー本体１の頭部底面側にルアー本体１と一体的に形成され連結されている。上面から見てリップ部２は略楕円型であり、上平面はほぼ平坦に形成されている。また、長さ方向においてはルアー本体１との連結部分が肉厚で先端部分Ｔにかけて徐々に肉薄になるように形成され、幅方向においては中央付近がもっとも肉厚になるように形成される。リップ部２上平面のほぼ中央付近には凹状に窪んだ窪み部２ａが形成されており、この窪み部２ａ内に釣糸係止部３が配置されている。
【００１７】
図３に詳しく示すように、リップ部２の長さ方向中央付近よりルアー本体１との連結部分にかけて、リップ部２の両周縁部分Ｓにおいて上平面は下方に向かって傾斜してその周縁端が外方に鋭角に突出している。そして、この周縁が鋭角部２ｂとなっている。また、リップ部２の長さ方向中央付近よりルアー本体１との連結部分にかけての周縁部分Ｓと同様に、リップ部２の先端部分Ｔも鋭角部２ｂとなっている。
【００１８】
このように構成されたルアーでは、キャスティング後リトリーブ等すると、リップ部２の上平面が水を受けてルアーは水中深くへ沈降する。ここで、リップ部２の上平面に当たる水はリップ部２の先端部分Ｔ及び長さ方向中央付近よりルアー本体１との連結部分にかけての周縁部分Ｓの鋭角部２ｂにおいて容易に逃げ出し、水がリップ部２に当たる角度によって左右にイレギュラーな動きをおこす。
【００１９】
［第２実施形態］
以下、本発明の第２実施形態を採用したルアーを、図面を参照しつつ説明する。
【００２０】
図４及び図５に示すように、本発明の第２実施形態を採用したルアーのリップ部１２はルアー本体１１の頭部底面側にルアー本体１１と一体的に形成され連結されている。上面から見てリップ部１２は略楕円型であり、上平面はほぼ平坦に形成されている。また、長さ方向においてはルアー本体１１との連結部分が肉厚で先端部分にかけて徐々に肉薄になるように形成され、幅方向においては中央付近がもっとも肉厚になるように形成される。リップ部２上平面のほぼ中央付近には釣糸係止部１３が配置されている。また、リップ部１２の全体の周縁部分Ｕにおいて、リップ部１２の上平面は下方に向かって傾斜してその周縁端が外方に鋭角に突出している。そして、この周縁が鋭角部１２ｂとなっている。
【００２１】
なお、その他の構成は第１実施形態と同様であり説明を省略する。
【００２２】
このように構成されたルアーでは、キャスティング後リトリーブ等すると、リップ部１２の上平面が水を受けてルアーは水中深くへ沈降する。ここで、リップ部１２の上平面に当たる水はリップ部１２の周縁部分Ｕの鋭角部１２ｂにおいて容易に逃げ出し、水がリップ部２に当たる角度によってイレギュラーな動きをおこす。
【００２３】
［他の実施形態］
（ａ）鋭角部はリップ部の先端部のみ、または長さ方向中央付近のみに設けてもよい。
（ｂ）リップ部の形状は上記実施形態に限定されるものではなく、略矩形等でもよい。
【００２４】
【発明の効果】
本発明に係るルアーによれば、容易にイレギュラーな動きをおこし、魚に強くアピールできる。
【図面の簡単な説明】
【図１】  本発明の第１実施形態を採用したルアーの全体図。
【図２】  図１のルアーの上面図。
【図３】  図２のIII−III断面図。
【図４】  本発明の第２実施形態を採用したルアーの頭部付近を示した図。
【図５】  図４のV−V断面図。
【符号の説明】
１，１１  ルアー本体
２，１２  リップ部
２ｂ，１２ｂ  鋭角部
３，１３  釣糸係止部
Ｓ  周縁部分
Ｔ  先端部分
Ｕ  周縁部分
【図１】
0004298855.tif 000002
【図２】
0004298855.tif 000003
【図３】
0004298855.tif 000004
【図４】
0004298855.tif 000005
【図５】
0004298855.tif 000006